(57)【特許請求の範囲】
【請求項１】
内部が空洞部になっているプラスチック製の略直方体状の箱体を複数個用意し、それらを、前記各箱体の最も面積の大きい２つの平面がそれぞれ互いに同一平面状に位置するように組み合わせて連結固定することにより、地下室の「底部」が構成されており、
前記各箱体には、それぞれ、その空洞部とその外部との間で空気をやり取りできるようにするための穴が形成されており、
「地熱と熱交換された空気」を供給するための空気供給部から、前記穴を介して、「地熱と熱交換された空気」が前記箱体の空洞部に供給されており、さらに、この空洞部から他の箱体の空洞部へ前記穴を介して「地熱と熱交換された空気」が流通され、その結果、前記連結固定された複数個の箱体の全部又は一部に、「地熱と熱交換された空気」が流通されるようになっている、ことを特徴とする地下室。
【請求項２】
内部が空洞部になっているプラスチック製の略直方体状の箱体を複数個用意し、それらを、前記各箱体の最も面積の大きい２つの平面がそれぞれ互いに同一平面状に位置するように組み合わせて連結固定することにより、地下室の「側壁部」が構成されており、
前記各箱体には、それぞれ、その空洞部とその外部との間で空気をやり取りできるようにするための穴が形成されており、
「地熱と熱交換された空気」を供給するための空気供給部から、前記穴を介して、「地熱と熱交換された空気」が前記箱体の空洞部に供給されており、さらに、この空洞部から他の箱体の空洞部へ前記穴を介して「地熱と熱交換された空気」が流通され、その結果、前記連結固定された複数個の箱体の全部又は一部に、「地熱と熱交換された空気」が流通されるようになっている、ことを特徴とする地下室。
【請求項３】
請求項１又は２において、
前記「地熱と熱交換された空気」は「地中にその長手方向がほぼ重力方向に約１ｍ以上延びるように埋設された地中パイプの中で、地熱と熱交換された空気」である、ことを特徴とする地下室。
【請求項４】
請求項１又は２において、
前記「地熱と熱交換された空気」は「地上建物の床下空間内に多数のくり石が充填されて成り約２０ｃｍ以上の厚さを有する地熱を蓄積できる蓄冷熱槽の中で、地熱と熱交換された空気」である、ことを特徴とする地下室。
【請求項５】
内部が空洞部になっているプラスチック製の略直方体状の箱体を複数個用意し、それらを、前記各箱体の最も面積の大きい２つの平面がそれぞれ互いに同一平面状に位置するように組み合わせて連結固定することにより、地下室の「底部」が構成されており、
前記各箱体には、それぞれ、その空洞部とその外部との間で空気をやり取りできるようにするための穴が形成されており、
「ボイラーからの廃熱やヒーターなどの熱源により暖められた空気」を供給するための空気供給部から、前記穴を介して、前記空気が前記箱体の空洞部に供給されており、さらに、この空洞部から他の箱体の空洞部へ前記穴を介して前記空気が流通され、その結果、前記連結固定された複数個の箱体の全部又は一部に、「ボイラーからの廃熱やヒーターなどの熱源により暖められた空気」が流通されるようになっている、ことを特徴とする地下室。
【請求項６】
内部が空洞部になっているプラスチック製の略直方体状の箱体を複数個用意し、それらを、前記各箱体の最も面積の大きい２つの平面がそれぞれ互いに同一平面状に位置するように組み合わせて連結固定することにより、地下室の「側壁部」が構成されており、
前記各箱体には、それぞれ、その空洞部とその外部との間で空気をやり取りできるようにするための穴が形成されており、
「ボイラーからの廃熱やヒーターなどの熱源により暖められた空気」を供給するための空気供給部から、前記穴を介して、前記空気が前記箱体の空洞部に供給されており、さらに、この空洞部から他の箱体の空洞部へ前記穴を介して前記空気が流通され、その結果、前記連結固定された複数個の箱体の全部又は一部に、「ボイラーからの廃熱やヒーターなどの熱源により暖められた空気」が流通されるようになっている、ことを特徴とする地下室。
【請求項７】
請求項１から６までのいずれかにおいて、
前記連結固定された複数個の箱体の全部又は一部に流通させられた空気を地下室の室内に供給するための供給穴と、この地下室の室内に供給された空気を更に地上建物の室内に供給するための供給穴とを備えた、ことを特徴とする地下室。
【請求項８】
内部が空洞部になっているプラスチック製の略直方体状の箱体を複数個用意し、それらを、前記各箱体の最も面積の大きい２つの平面がそれぞれ互いに同一平面状に位置するように組み合わせて連結固定することにより、地下室の「底部」又は「側壁部」が構成されており、
前記各箱体には、それぞれ、その空洞部とその外部との間で水などの液体をやり取りできるようにするための穴が形成されており、
前記各箱体に形成された前記穴を介して前記各箱体の空洞部に水を供給することにより、前記連結固定された複数個の箱体の全部又は一部に、水を収納又は流通させるようにした、ことを特徴とする地下室。
【請求項９】
内部が空洞部になっているプラスチック製の略直方体状の箱体を複数個用意し、それらを、前記各箱体の最も面積の大きい２つの平面がそれぞれ互いに同一平面状に位置するように組み合わせて連結固定することにより、地下室の「底部」又は「側壁部」が構成されており、
前記各箱体には、それぞれ、その空洞部とその外部との間で水などの液体をやり取りできるようにするための穴が形成されており、
「ボイラーからの廃熱やヒーターなどの熱源により暖められた水」を供給するための水供給部から、前記各箱体に形成された前記穴を介して、前記水が前記箱体の空洞部に供給されており、さらに、この空洞部から他の箱体の空洞部へ前記穴を介して前記水が流通され、その結果、前記連結固定された複数個の箱体の全部又は一部に、「ボイラーからの廃熱やヒーターなどの熱源により暖められた水」が流通されるようになっている、ことを特徴とする地下室。
【請求項１０】
請求項１から９までのいずれかにおいて、さらに、
内部が空洞部になっているプラスチック製の略直方体状の箱体を複数個用意し、それらを、前記各箱体の最も面積の大きい２つの平面がそれぞれ互いに同一平面状に位置するように組み合わせて固定することにより、地下室の「天井部分」が構成されており、
前記各箱体には、それぞれ、その空洞部とその外部との間で水などの液体をやり取りできるようにするための穴が形成されており、
「ボイラーからの廃熱やヒーターなどの熱源により暖められた水」を供給するための水供給部から、前記穴を介して、前記水が前記箱体の空洞部に供給されており、さらに、この空洞部から他の箱体の空洞部へ前記穴を介して前記水が流通され、その結果、前記地下室の天井部分の全部又は一部には、「ボイラーからの廃熱やヒーターなどの熱源により暖められた水」が流通されるようになっており、
前記地下室の天井部分は、地上建物の床の下側にこれと接するように又はこれと対向するように配置されている、ことを特徴とする地下室。
【発明の詳細な説明】
【０００１】
【発明の属する技術分野】
本発明は、低コストで建設でき、地熱を利用して温度調整や調湿などの空調を行うことができる地下室に関する。
【０００２】
【従来の技術】
従来から施工されている地下室は、そのほとんどが、鉄筋コンクリート製の側壁部と底部（床）から構成されるものである。しかしながら、鉄筋コンクリートで地下室を構成するときは、まず、地下に側壁の型枠を取り付けて、鉄筋を固定して、その中にコンクリートを流し込むなど複雑な施工が必要であり、建設コストが高くなってしまうという問題があった。また、鉄筋コンクリートで側壁部や底部（床）を構成するときは、鉄筋コンクリートからの湿気が地下室内に入り込んで、地下室内の湿度が高くなりジメジメしてしまうという問題もあった。
【０００３】
また、従来より、地下室の側壁部を、鉄骨とこの鉄骨に固定するパネル（セラミック製などのパネル）により構成することも提案されている。しかしながら、この鉄骨とパネルで地下室の側壁を構成する方法によるときも、その施工方法が複雑であるため、地下室の建設コストが高くなってしまうなどの問題があった。
【０００４】
【発明が解決しようとする課題】
本発明はこのような従来技術の問題点に着目してなされたものであって、建設コストを従来よりも大幅に低減させることができ、また、地下室内の湿度を従来の鉄筋コンクリート製の地下室よりも大きく低減して快適にすることができ、さらに、地熱を高効率に利用した空調（温度調整や調湿など）を行うことができる地下室を提供することを目的とするものである。
【０００５】
【課題を解決するための手段】
このような従来技術の課題を解決するための本発明による地下室は、内部が空洞部になっているプラスチック製の略直方体状の箱体を複数個用意し、それらを、前記各箱体の最も面積の大きい２つの平面がそれぞれ互いに同一平面状に位置するように組み合わせて公知の手段で連結固定することにより、地下室の「底部」が構成されており、前記各箱体には、それぞれ、その空洞部とその外部との間で空気をやり取りできるようにするための穴が形成されており、「地熱と熱交換された空気」を供給するための空気供給部から、前記穴を介して、「地熱と熱交換された空気」が前記箱体の空洞部に供給されており、さらに、この空洞部から他の箱体の空洞部へ前記穴を介して地熱と熱交換された空気が流通され、その結果、前記連結固定された複数個の箱体の全部又は一部に、「地熱と熱交換された空気」が流通されるようになっている、ことを特徴とするものである。
【０００６】
また、本発明の地下室は、内部が空洞部になっているプラスチック製の略直方体状の箱体を複数個用意し、それらを、前記各箱体の最も面積の大きい２つの平面がそれぞれ互いに同一平面状に位置するように組み合わせて公知の手段で連結固定することにより、地下室の「側壁部」が構成されており、前記各箱体には、それぞれ、その空洞部とその外部との間で空気をやり取りできるようにするための穴が形成されており、「地熱と熱交換された空気」を供給するための空気供給部から、前記穴を介して、「地熱と熱交換された空気」が前記箱体の空洞部に供給されており、さらに、この空洞部から他の箱体の空洞部へ前記穴を介して地熱と熱交換された空気が流通され、その結果、前記連結固定された複数個の箱体の全部又は一部に、「地熱と熱交換された空気」が流通されるようになっている、ことを特徴とするものである。
【０００７】
また、本発明の地下室においては、前記「地熱と熱交換された空気」は「地中にその長手方向がほぼ重力方向に約１ｍ以上延びるように埋設された地中パイプの中で地熱と熱交換された空気」である、ことが望ましい。
【０００８】
また、本発明の地下室においては、前記各箱体には、それぞれ、その空洞部とその外部との間で空気をやり取りできるようにするための穴が形成されており、「地中にその長手方向がほぼ重力方向に約１ｍ以上（又は、２ｍ以上、３ｍ以上）延びるように埋設された地中パイプの中で地熱と熱交換された空気」を供給するための空気供給部から、前記穴を介して、前記空気が前記箱体の空洞部に供給されており、さらに、この空洞部から他の箱体の空洞部へ前記穴を介して前記空気が流通され、その結果、前記側壁部又は底部の全部又は一部に、「地中にその長手方向がほぼ重力方向に延びるように埋設された地中パイプの中で地熱と熱交換された空気」が流通されるようになっている、ことが望ましい。
【０００９】
また、本発明の地下室においては、前記各箱体には、それぞれ、その空洞部とその外部との間で空気をやり取りできるようにするための穴が形成されており、「地上建物の床下空間に多数のくり石が充填されて成り約２０ｃｍ以上（又は、３０ｃｍ以上、４０ｃｍ以上）の厚さを有する蓄冷熱層の中で地熱と熱交換された空気」を供給するための空気供給部から、前記穴を介して、前記空気が前記箱体の空洞部に供給されており、さらに、この空洞部から他の箱体の空洞部へ前記穴を介して前記空気が流通され、その結果、前記側壁部又は底部の全部又は一部に、「地上建物の床下空間に多数のくり石が充填されて成り約２０ｃｍ以上の厚さを有する蓄冷熱層の中で地熱と熱交換された空気」が流通されるようになっている、ことが望ましい。
【００１０】
また、本発明の地下室においては、前記各箱体には、それぞれ、その空洞部とその外部との間で空気をやり取りできるようにするための穴が形成されており、「ボイラーからの廃熱やヒーターなどの熱源により暖められた空気」を供給するための空気供給部から、前記穴を介して、前記空気が前記箱体の空洞部に供給されており、さらに、この空洞部から他の箱体の空洞部へ前記穴を介して前記空気が流通され、その結果、前記側壁部又は底部の全部又は一部に、「ボイラーからの廃熱やヒーターなどの熱源により暖められた空気」が流通されるようになっている、ことが望ましい。
【００１１】
また、本発明の地下室においては、前記側壁部又は底部の全部又は一部に流通させられた空気を地下室の内部に供給するための供給穴と、この地下室の中に供給された空気を更に地上建物の室内に供給するための供給穴とを備えた、ことが望ましい。
【００１２】
また、本発明の地下室においては、前記各箱体には、それぞれ、その空洞部とその外部との間で水などの液体をやり取りできるようにするための穴が形成されており、前記穴を介して前記各箱体の空洞部に水を供給することにより、前記側壁部又は底部の全部又は一部に、水を収納又は流通させるようにした、ことが望ましい。
【００１３】
また、本発明の地下室においては、前記各箱体には、それぞれ、その空洞部とその外部との間で水などの液体をやり取りできるようにするための穴が形成されており、「ボイラーからの廃熱やヒーターなどの熱源により暖められた水」を供給するための水供給部から、前記穴を介して、前記水が前記箱体の空洞部に供給されており、さらに、この空洞部から他の箱体の空洞部へ前記穴を介して前記水が流通され、その結果、前記側壁部又は底部の全部又は一部に、「ボイラーからの廃熱やヒーターなどの熱源により暖められた水」が流通されるようになっている、ことが望ましい。
【００１４】
さらに、本発明の地下室においては、内部が空洞部になっているプラスチック製の略直方体状の箱体を複数個用意し、それらを、前記各箱体の最も面積の大きい２つの平面がそれぞれ互いに同一平面状に位置するように組み合わせて公知の手段で固定することにより、地下室の「天井部分」が構成されており、前記各箱体には、それぞれ、その空洞部とその外部との間で水などの液体をやり取りできるようにするための穴が形成されており、「ボイラーからの廃熱やヒーターなどの熱源により暖められた水」を供給するための水供給部から、前記穴を介して、前記水が前記箱体の空洞部に供給されており、さらに、この空洞部から他の箱体の空洞部へ前記穴を介して前記水が流通され、その結果、前記地下室の天井部分の全部又は一部には、「ボイラーからの廃熱やヒーターなどの熱源により暖められた水」が流通されるようになっており、前記地下室の天井部分は、地上建物の床の下側にこれと接するように又はこれと対向するように配置されている、ことが望ましい。
【００１５】
【発明の実施の形態】
実施形態１．
以下、本発明の実施形態１を説明する。図１は本実施形態１による地下室の側壁部及び底部（床）を構成するための部品としての箱体を示す斜視図である。図１において、１，１ａ，１ｂはプラスチック製（ポリエチレンやポリプロピレンなどのプラスチック製）の略直方体形状の箱体である（図１において、箱体１の縦方向のサイズは例えば１２０ｃｍ、横方向のサイズは例えば６０ｃｍ、奥行きのサイズは例えば１５〜３０ｃｍである）。また、２，３，４，５はそれぞれ前記箱体１の最も面積の大きい２つの面を除く４つの面１２，１３，１４，１５の例えばほぼ中央部に形成された挿通穴であって、後述のように外部からの空気や水を前記箱体１の内部に供給・流通させるための挿通穴である。
【００１６】
また、図１において、２１，２２，２３，２４は、前記箱体１の最も面積が大きい２つの面の例えば４ヶ所に形成された補強部であって、前記２つの各面の「前記４ヶ所の部分（プラスチック製の面）」が互いに近づき接触するように凹状に変形され、それらの凹状の変形部が前記２つの各面の間のほぼ中央の位置で互いに固定するように形成されている補強部である（この補強部２１〜２４により、前記箱体１の全体の強度が増すようになっている）。
【００１７】
また、図１において、３１，３２，３３，３４，３５，３６，３７，３８は、前記箱体１の前記４つの面１２，１３，１４，１５にそれぞれ例えば２ヶ所ずつ形成された固定用穴であって、前記箱体１を他の箱体（図１の符号１ａ，１ｂ参照）とボルトとナットにより連結・固定するための固定用穴である。本実施形態１では、前記箱体１は、その固定用穴３１及び３２が、他の箱体１ａの固定用穴３１ａ及び３２ａと、それぞれボルト・ナット締めされることにより連結固定される。また、前記箱体１は、その固定用穴３３及び３４が、他の箱体１ｂの固定用穴３３ｂ及び３４ｂと、それぞれボルト・ナット締めされることにより連結固定される。
【００１８】
また、本実施形態１では、箱体１と他の箱体１ａが連結固定されたときは、前記箱体１の挿通穴２と前記他の箱体１ａの挿通穴２ａが互いに連結されるようになっている（前記挿通穴２と前記挿通穴２ａとの間には、図示しないゴム製パッキンなどが介装されて、両者間で空気漏れや水漏れが生じないようになっている）。また、本実施形態１では、箱体１と他の箱体１ｂが連結固定されたときは、前記箱体１の挿通穴３と前記他の箱体１ｂの挿通穴３ｂが互いに連結されるようになっている（前記挿通穴３と前記挿通穴３ｂとの間には、図示しないゴム製パッキンなどが介装されて、両者間で空気漏れや水漏れが生じないようになっている）。
【００１９】
また、図１において、７１，７２，７３，７４，７５，７６，７８は、前記各固定用穴３１，３２，３３，３４，３５，３６，３７，３８の周囲に形成された作業空間部で、前記各固定用穴３１〜３８を他の箱体の各固定用穴とボルト・ナットで固定するときの作業のために作業者が自分の手をその中に入れてボルト締め作業を行うことを可能にするための作業空間部である。この作業空間部７１〜７８はプラスチック製で、前記プラスチック製の箱体１と一体成形されている。
【００２０】
本実施形態１では、図１に示すような複数の箱体１，１ａ，１ｂ・・・を互いに連結固定させて、一つの大きな壁体を形成し、これを、地下室の側壁や地下室の底部（床）や地下室の天井部分にするようにしている。
【００２１】
図２は、本実施形態１による地下室の実際の施工方法を説明するための図である。本実施形態１では、図１に示すような複数の箱体１・・・を、４個ずつ横方向に連結し、図２に示すように、縦方向１２０ｃｍで横方向２４０ｃｍのサイズからなる壁体ユニット１０を専用工場で組み立て製造しておく。そして、この壁体ユニット１０を複数個、地下室を建設する現場にトラックで運搬して、その現場で、この複数の壁体ユニット１０を組み合わせる（ボルト・ナットで連結固定する）ことにより、地下室の底部や側壁部や天井部分を形成する。
【００２２】
以上のように、本実施形態１では、プラスチック製で内部が空洞の箱体１を組み合わせた壁体ユニット１０を、複数個、建設現場で組み合わせて地下室の底部や側壁部を形成するようにしているが、このプラスチック製で内部が空洞の箱体１は、通常の地下室の建設に使用される鉄筋コンクリート・鉄骨・セラミック製パネルなどと比較して大変に軽量であるので、例えば女性や高齢者などの力が比較的弱い人でも、建設現場で地下室の底部や側壁部や天井部分を形成することが可能になる。また、本実施形態では、現場での複雑な工程を必要とせず単に前記箱体１（前記壁体ユニット１０）の組み合わせだけで地下室の底部や側壁部や天井部分を建設できるので、従来の鉄筋コンクリートで地下室の底部（床）や側壁部や天井部分を建設する場合などと比較して、極めて簡単に低コストで地下室を建設することが可能になる。
【００２３】
次に、図３は本実施形態１による地下室の動作を説明するための図である。図３には、各箱体が図示縦方向に４個、図示横方向に４個の計１６個組み合わせられて成る底部（又は側壁部）を示す概略平面図である。これらの各箱体の各挿通穴（図１の符号２，３，４，５参照）は、互いに隣接する他の箱体の挿通穴と連結されることにより、「空気又は水の流通路」を形成している。図３の例では、図の計１６個の各箱体の前記４つの面に形成されたそれぞれの挿通穴による流通路の中で、符号５１，５２，５３，５４，５６，５７，５８，５９，６０で示す流通路（挿通穴から構成される）だけが外部に対して開放された状態になっており、他の流通路（挿通穴から構成される）は外部に対して閉じた状態に保持されている。
【００２４】
そして、この図３の例では、所定の空気（地熱と熱交換された空気など）又は水（地熱、ボイラーの廃熱、ヒータからの熱などにより暖められた水など）が、外部のファン(図示せず)又はポンプ(図示せず)から、図のパイプ６１及び流通路（挿通穴）５１を介して、箱体４１（図３の一番左上の箱体）の中に供給されている。この箱体４１の中に供給された空気又は水は、各流通路（挿通穴から構成される）５２，５３，５４を介して、順次、図３の右方向に隣接する各箱体の中を流通して行き、箱体４２の流通路（挿通穴）５５からパイプ６２に供給される。さらに、このパイプ６２に供給された前記空気又は水は、流通路（挿通穴）５６を介して箱体４３の中に供給され、各流通路（挿通穴から構成される）５７，５８，５９を介して、順次、図示左方向に隣接する各箱体の中を流通して行き、箱体４４の流通路（挿通穴）６０から、パイプ６３を介して外部に排出される。
【００２５】
このように、この図３の例では、計１６個の箱体から成る地下室の底部（又は側壁部）の中の半分の計８個の箱体について、前記空気又は水を流通させるようにしている。よって、本実施形態１では、例えば地熱と熱交換した空気又は水を前記計８個の箱体の内部に流通させることにより、地下室の底部（又は側壁部）を、「冬は温かく夏は涼しい状態」に保てるようになる。また、本実施形態１では、例えばポイラーの廃熱や電熱ヒータの熱で暖めた水を前記計８個の箱体の内部に流通させることにより、地下室の底部（又は側壁部）を、冬季に温かい状態に保てるようになる。
【００２６】
なお、この図３の例では、計１６個の箱体から成る底部（又は側壁部）について、その中の計８個の箱体の中にだけ前記空気又は水を流通させるようにしているが、本発明では、図３の計１６個の全ての箱体の内部に前記空気又は水を流通させるようにしてもよい。また、図３の例では、水を前記計８個の箱体の内部を介して「流通」させるようにしているが、本発明では、水を前記計８個の箱体の内部又は前記計１６個の全ての箱体の内部に「収容」させるようにしてもよい（水を前記箱体の中に「収容（外部と「流通」させることなく）」させておく場合、水は空気に比べて熱容量（熱の保持力）が大きいので、地中の地熱がこの水に伝導されて保持されることにより、この水を介して、地中の地熱が高効率に地下室内部に伝導されるようになるというメリットが得られる）。
【００２７】
なお、本実施形態１においては、図１に示すように、各箱体１に形成される挿通穴２，３，４，５をそれぞれ前記４つの面（略直方体形状である各箱体を構成する６つの面の中で、最も面積の大きい２の面を除く４つの面）のほぼ中央部に一つずつ形成するようにしているが、本発明ではこれに限られることなく、前記各面に複数個ずつ前記挿通穴を形成するようにしてもよい。また、図１の例では、前記の４つの面にそれぞれ２つずつ、他の箱体と連結固定するためのボルト・ナット締め用の固定用穴３１〜３８を形成するようにしているが、本発明ではこれに限られることなく、前記各面に３つ以上の複数個ずつボルト・ナット締め用の固定用穴を形成するようにしてもよい。
【００２８】
実施形態２．
次に、本発明の実施形態２を図４〜７に基づいて説明する。本実施形態２は、基本的構成は、上記の実施形態１と同様である。図４は、本実施形態２で使用されるプラスチック製で内部が空洞の箱体８０を示す概略斜視図である。図４において、８１は他の箱体との連結のための締め付けボルト用穴、８２は水密パッキンである。
【００２９】
次に図５は、図４の箱体８０を、複数個、組み合わせて地下室の底部、側壁部、及び天井部を形成したときの状態を示す概略斜視図である。図５において、天井部分を構成する計８個の箱体の中の４つの箱体８０ａ，８０ｂ，８０ｃ，及び８０ｄには、外部からの水（例えば、ボイラーからの廃熱や電気ヒーターなどの熱源で加温された水、地熱と熱交換された水、など）が、図示しないポンプなどにより供給され、流通されるようになっている。箱体８０ａと８０ｂとの間には、各箱体８０ａの挿通穴と８０ｂの挿通穴とにより、「水の流通路」（図５の符号８４参照）が形成されている。箱体８０ｃと８０ｄとの間にも、同様に「水の流通路」が形成されている。
【００３０】
また、図５に示されている各箱体の中で、前記箱体８０ａ，８０ｂ，８０ｃ，及び８０ｄ以外の各箱体には、外部からの空気（地熱と熱交換された空気、又は、ボイラーの廃熱又はヒーターなどの熱源で加温された空気）が流通させられている。例えば、図５の各箱体８０ｅの挿通穴と８０ｆの挿通穴とにより、「空気の流通路」（図５の符号８５参照）が形成されている（他の各箱体についても同様である）。
【００３１】
また、図５の天井部分を構成する計８個の箱体の中の４つの箱体８０ｇ，８０ｈ，８０ｉ，及び８０ｊからは、地下室の室内の空気（地熱と熱交換された空気）を地下室の天井部分から地上建物の室内に送り出すための「空気通路（空気流通穴）」（図５の符号８６参照）が形成されている。
【００３２】
また、図５に示すように、複数の箱体が連結されて成る地下室の天井部分、側壁部、及び底部（下側の底部は図５では見えない）には、それぞれ図示のような鉄骨補強材（図５の符号８７参照）が複数ヶ所に取り付けられており、これにより地下室全体の構造的な補強が図られている。
【００３３】
次に、図６は本実施形態２による動作の一例を示すものである。図６の例では、地上建物のコンクリート製の床９１の下方の床下空間（この床下空間の図示縦方向の厚さは２０ｃｍ以上又は２５ｃｍ以上であることが望ましい）の中に、多数のクリ石９２が充填されている。前記床下空間には、前記の多数のクリ石９２とそれらの間の隙間により、地熱を蓄積しておくための蓄冷熱層９３が形成されている。この蓄冷熱層９３には、図示しないファンにより、外部（戸外など）からの空気が導入されており、外部（戸外など）からの空気は、この蓄冷熱層９３の中で、地熱と熱交換される（また、後述のように、この空気は、蓄冷熱槽９３の中で調湿される）。また、前記のファン（又は別のファン）により、蓄冷熱層９３で熱交換された空気は、図６に示すように、地下室の側壁部を構成する前記各箱体の内部を流通し（図６の矢印α参照）、そこから、さらに地下室の底部を構成する各箱体の内部を流通してから、地下室の室内に導入され（図６の矢印β参照）、さらに、この室内から地下室の天井部分の前記空気流通路８６（図５参照）を介して、地上建物の室内に供給される（図６の矢印γ参照）。
【００３４】
また、本実施形態２では、前記の外部（戸外など）からの空気は、前記蓄冷熱層９３の中で地熱と熱交換されるだけでなく、前記複数の箱体で構成される側壁部及び底部を流通する過程でも地熱と熱交換させられている（前記箱体は地下に埋設されているので、地熱が前記箱体の外壁部を介して前記箱体内の空洞部の空気に伝導されるため）。
【００３５】
また、本実施形態２においては、前記蓄冷熱層９３内では、外部から導入された空気は、地熱と熱交換されるだけでなく、夏季の多湿な空気が流通する場合はその中の水蒸気が多数のクリ石表面に付着すると共に冬季の乾燥した空気が流通する場合は多数のクリ石表面の水滴がその空気の中に水蒸気として供給されることにより、適度な湿度に調湿されるようになる。このように、蓄冷熱層９３の中で地熱と熱交換され且つ調湿された空気は、図６に示すように、前記地下室の側壁部や底部を構成する各箱体の内部に供給され、さらに、そこから地下室内と地上建物の室内に流通させられている。よって、本実施形態２によれば、地下室内と地上建物の室内とを、常に、地熱に近い快適な温度を有するように、また、適度な湿度を有するように、調整できるようになる。
【００３６】
また、図６に示すように、地下室の天井部分を構成する計８個の箱体の中の４つの箱体（図５の符号８０ａ，８０ｂ，８０ｃ，８０ｄ参照）には、前述のように、外部からの水（例えば、ボイラーからの廃熱や電気ヒーターなどの熱源で加温された水、地熱と熱交換された水、など）が供給されている。また、図６の例では、図示のように、前記箱体により構成される地下室の「天井部分」は、そのまま、地上建物の「床の一部」としても利用されている（図６の８０ａ，８０ｃなど参照）。よって、前記４つの箱体８０ａ，８０ｂ，８０ｃ，８０ｄの中にボイラーからの廃熱や電気ヒーターなどで加温された水を供給するときは、地上建物の「床」９１の一部は、この水により暖められるようになる。また、前記４つの箱体８０ａ，８０ｂ，８０ｃ，８０ｄの中に地熱と熱交換された水を供給するときは、前記箱体の中を流通する加温された水により、地上建物の床９１（の一部）は、冬季は暖められ、夏季は冷やされるようになる。なお、図６のように前記箱体により構成される地下室の「天井部分」をそのまま地上建物の「床の一部」として利用せずに、地下室の「天井部分」を地上建物の「床」の下方に配置した場合（地下室の「天井部分」を地上建物の床の下方に接触させて配置するか、又は、所定の間隔を介して対向させた場合など）でも、ほぼ同様に、前記箱体の中を流通する加温された水（又は、地熱と熱交換された水）により、地上建物の床９１（の一部）が、冬季は暖められたり、夏季は冷やされたりされるようになる。
【００３７】
次に図７は本実施形態２の他の動作（夏季の動作）の一例を示すものである。図７において、１０１は外部からの空気を取り込むためのファン、１０２と１０３はそれぞれ、その長手方向がほぼ重力方向に向かって少なくとも地下１ｍ以上（又は地下２ｍ以上）の地中深さまで延びるように地中に埋設された地中パイプである。前記２つの地中パイプ１０２，１０３は、それぞれ、外側パイプ１０２ａ，１０３ａとその内部に挿通されている内側パイプ１０２ｂ，１０３ｂとの二重構造となっている。また、本実施形態では、前記外側パイプ１０２ａ，１０３ａの内壁面は、その重力方向の断面が波状に形成されている。
【００３８】
図７に示すように、外部からの空気は、まず、前記地中パイプ１０２の内側パイプ１０２ｂの中を下降した後、内側パイプ１０２ｂの外壁面と外側パイプ１０２ａの内壁面との間の隙間を上昇して行く（この上昇の過程で、前記空気は地熱と熱交換される）。その後、前記空気は、内側パイプ１０３ｂの外壁面と外側パイプ１０３ａの内壁面との間の隙間を下降した後（この下降の過程で、前記空気は地熱と熱交換される）、前記地中パイプ１０３の内側パイプ１０３ｂの中を上昇して行き、前記地下室の側壁部１０５を構成する複数の箱体の内部に供給される。その後、前記空気は、前記側壁部１０５を構成する箱体の中から地下室の底部１０６を構成する箱体の中に移動し、そこから地下室の室内を通って、地下室の天井部分（前記の複数の箱体により構成されている）１０７の空気流通穴１０７ａから地上建物の床下空間１０８（この床下空間１０８は、図６で説明したような多数のクリ石が充填されて成る蓄冷熱層となっていることが望ましい）に供給され、そこから、地上建物の床１０９の空気流通穴１０９ａを介して地上建物の各室内に供給されるようになっている。
【００３９】
また、この図７の例においては、前記２つの地中パイプ１０２，１０３の中では、外部からの空気は、地熱と熱交換されるだけでなく、夏季の多湿な空気が流通する場合はその中の水蒸気が外側パイプ１０２ａ，１０３ｂの内壁面に付着すると共に冬季の乾燥した空気が流通する場合は前記内壁面の水滴がその空気の中に水蒸気として供給されることにより、適度な湿度に調湿されるようになっている。
【００４０】
このように、前記地中パイプ１０２，１０３の中で地熱と熱交換され且つ調湿された空気は、図７に示すように、前記地下室の側壁部１０５や底部１０６を構成する各箱体の内部に供給され、さらに、地下室の室内に供給され、そこから、地下室の天井部分（前記箱体により構成されている）１０７の空気流通穴１０７ａを介して地上建物の床下空間（多数のクリ石が充填された蓄冷熱層）１０８へ、さらに、そこから、地上建物の床１０９の空気流通穴１０９ａを介して地上建物の室内へと流通されるようになっている。よって、この図７の例によれば、地下室内と地上建物の室内とを、常に、地熱に近い快適な温度を有するように、また、適度な湿度を有するように、調整できるようになっている。
【００４１】
なお、上記の図７に示す例では、前記地下室の側壁部９５及び底部９６を構成する箱体の中に、２つの地中パイプ９２，９３により地熱と熱交換された空気を供給し流通させるようにしているが、本発明ではこれに限られることなく、例えば、ボイラーの廃熱や電気ヒータなどの熱源により加温された空気を前記地下室の側壁部９５及び底部９６を構成する箱体の中に供給し、さらにそこから地下室の室内へ、さらにそこから地上建物の室内へと流通させるようにしてもよい。
【００４２】
【発明の効果】
以上に説明したように、本発明によれば、地下室の側壁部、底部、又は天井部分を、複数の「プラスチック製で内部が空洞部になっている箱体」を組み合わせることにより建設するようにしているので、従来の地下室と比較して、現場での地下室の建設作業を簡素化し、地下室を低コストで建設することが可能になる。すなわち、本発明のように「プラスチック製で内部が空洞部になっている箱体」を使用して地下室を建設するときは、前記箱体は、従来の鉄筋コンクリート壁（コンクリート壁は施工が複雑で高コスト）やセラミック製の壁用パネル（かなりの重量がある）などと比較して大変に軽量であるので、例えば女性や高齢者など力の弱い作業者でも、現場で容易に、地下室の側壁部、底部、又は天井部分を組み立てることができる。
【００４３】
また、特に、前記箱体を所定の個数だけ予め工場で連結固定（組み立て）した壁体ユニットを構成しておき（例えば、縦方向サイズが約１２０ｃｍで横方向サイズが約６０ｃｍの箱体を、４個ずつ、横方向に連結固定することにより、縦方向サイズが約１２０ｃｍで横方向サイズが約２４０ｃｍの各壁体ユニットを構成しておき）、複数の壁体ユニットを現場に運搬して、現場でその連結固定したものを組み立てるようにすれば、現場での地下室の側壁部、底部、又は天井部分の施工・組み立てを、より一層、簡素化・効率化・低コスト化できるようになる。
【００４４】
また、本発明によれば、地下室の側壁部、底部、又は天井部分を、複数の「プラスチック製で内部が空洞部になっている箱体」を組み合わせることにより建設するようにしているので、従来の地下室と比較して、湿気の少ない快適な地下室を提供できるようになる。すなわち、一般にコンクリートは多量の水分を含んでいるため、従来の鉄筋コンクリート製の地下室は、コンクリートから水分が放出されるため、地下室の室内が多湿になりジメジメしてしまうという問題があった。これに対して、本発明で使用する「プラスチック製で内部が空洞部になっている箱体」はそれ自身から水分を放出することがないので、前記箱体を使用して地下室の側壁部、底部、又は天井部分を構成するようにすれば、地下室の室内が多湿になることが避けられ、適度の湿度を有する快適な地下室空間を形成できるようになる。
【００４５】
また、本発明によれば、前記地下室の側壁部又は底部を構成する複数の箱体の全部又は一部の箱体の内部に「（床下空間の多数のクリ石が充填されて成る蓄冷熱層の中などで）地熱と熱交換された空気」や「地中パイプの中で地熱と熱交換された空気」を流通させるようにすれば、地下室の側壁部又は底部から地下室の室内に向けて地熱を効率的に伝導させることができる。
【００４６】
また、本発明では、前記の地下室の側壁部又は底部の各箱体の内部に流通させた空気（蓄冷熱層や地中パイプの中で地熱と熱交換させた空気、又は、ボイラー廃熱やヒーターなどの熱源で加温した空気）を、地下室の室内に供給し、さらに、そこから地上建物の室内に供給するようにすれば、地下室の室内や地上建物の室内に、地熱、ボイラー廃熱、又はヒーター等からの熱をより確実に伝導させることができる。
【００４７】
また、本発明において、前記地下室の側壁部又は底部を構成する全部又は一部の箱体の内部に水を収容（「収容」は「流通」させない場合も含む）又は流通させるようにしたときは、一般に水は空気に比べて熱容量（熱保持力）が大きいため地中の地熱をより多量に蓄積することができるので、前記箱体が空気だけを収容している場合に比較して、より効率的に、地熱を地下室の室内に伝導させることができる。
【００４８】
また、本発明において、前記地下室の側壁部又は底部を構成する全部又は一部の箱体の内部に「ボイラーからの廃熱やヒーターなどの熱源により加温された水」を流通させるようにしたときは、ボイラーからの廃熱やヒーターなどの熱を効率的に地下室の室内に伝導させることができる。
【００４９】
さらに、本発明において、地下室の天井部分を複数の「プラスチック製で内部が空洞部になっている箱体」を組み合わせて建設し、前記地下室の天井部分を構成する全部又は一部の箱体（地上建物の床の下方に位置する箱体）の内部に「ボイラーからの廃熱やヒーターなどの熱源により加温された水」を流通させるようにしたときは、ボイラーからの廃熱やヒーターなどの熱を効率的に地下室の室内と地上建物の床に伝導させることができる。
【図面の簡単な説明】
【図１】  本発明の実施形態１の地下室の側壁部や底部に使用される箱体の構造を説明するための斜視図である。
【図２】  本実施形態１の箱体の組み合わせ方法を説明するための図である。
【図３】  本実施形態１による地下室の底部（又は側壁部）を説明するための図である。
【図４】  本発明の実施形態２の地下室の側壁部、底部、又は天井部分を構成するために使用される箱体を説明するための概略図である。
【図５】  本実施形態２による地下室を構成する側壁部、底部、及び天井部分を説明するための概略図である。
【図６】  本実施形態２の動作を説明するための図である。
【図７】  本実施形態２の他の使用例の動作を説明するための図である。
【符号の説明】
１，１ａ，１ｂ，４１，４２，４３，４４，８０，８０ａ，８０ｂ，８０ｃ，８０ｄ，８０ｅ，８０ｆ，８０ｇ，８０ｈ，８０ｉ，８０ｊ  箱体
２，２ａ，３，３ｂ，４，５  挿通穴
１０  ユニット
１２，１３，１４，１５  面
２１，２２，２３，２４  補強部
３１，３１ａ，３２，３２ａ，３３，３３ｂ，３４，３４ｂ，３５，３６，３７，３８  固定用穴
５１，５２，５３，５４，５５，５６，５７，５８，５９，６０  流通路（挿通穴）
６１，６２，６３  パイプ
７１，７２，７３，７４，７５，７６，７８  作業空間部
８５，８６  空気通路（空気流通路）
８７  鉄骨補強材
９１，１０９  床
９２  くり石
９３，１０８蓄冷熱槽
１０１  ファン
１０２，１０３  地中パイプ
１０２ａ，１０３ａ  外側パイプ
１０２ｂ，１０３ｂ  内側パイプ
１０５  地下室の側壁部
１０６  地下室の底部
１０７  地下室の天井部分
１０７ａ，１０９ａ  空気流通穴
【図１】
0004469509.tif 000002
【図２】
0004469509.tif 000003
【図３】
0004469509.tif 000004
【図４】
0004469509.tif 000005
【図５】
0004469509.tif 000006
【図６】
0004469509.tif 000007
【図７】
0004469509.tif 000008